(57)【要約】【課題】  表面に凹凸を有する風呂蓋の凹溝部分の清掃と同時に、常時清掃を必要とする浴槽内や浴槽周りの清掃や、洗い場やその周囲の壁面等の清掃をも一つのブラシで不都合なく行うことができるようにした風呂場用清掃用ブラシの提供。【解決手段】  植毛台２が、所定の間隔ｄを隔てて配置された複数の植毛部２２，２２を備えた第１植毛台２１と、該植毛部２２，２２の間に配置された複数の植毛部２６，２６を備えた第２植毛台２５とを備え、何れか一方の植毛台が他方の植毛台に対して垂直方向に移動可能な可動台とされ、該可動台の垂直方向への移動操作によって、これら両植毛部２２，２６に植設されたブラシ毛３１，３２の先端部分ａ，ｂが、ほぼ同一面となる第１姿勢と、何れか一方のブラシ毛３１，３２の先端部分ａ，ｂが、他方のブラシ毛３２，３１の先端部分ｂ，ａに比して所定の長さ下方に突出する第２姿勢とに変更可能に形成されている構成としたもの。【選択図】      図１
0003136236.tif 000002
【実用新案登録請求の範囲】
【請求項１】
植毛台(2)の下面にブラシ毛(3)が植設されている耐水性ブラシであって、その植毛台(2)が、所定の間隔(d)を隔てて配置された複数の植毛部(22，22)を備えた第１植毛台(21)と、該植毛部(22，22)の間に配置された複数の植毛部(26，26)を備えた第２植毛台(25)とからなり、これら第１，第２植毛台(21，25)の何れか一方の植毛台が他方の植毛台に対して垂直方向に移動可能な可動台に形成され、該可動台の垂直方向への移動操作によって、これら両植毛部(22，26)に植設されたブラシ毛(31，32)の先端部分(a，b)が、ほぼ同一面となる第１姿勢と、何れか一方のブラシ毛(31，32)の先端部分(a，b)が、他方のブラシ毛(32，31)の先端部分(b，a)に比して所定の長さ下方に突出する第２姿勢とに変更可能に形成されている風呂場用洗浄ブラシ。
【考案の詳細な説明】
【技術分野】
【０００１】
本考案は、主として、家庭用風呂場の清掃に使用される耐水性の洗浄ブラシであって、浴槽内や浴槽周り、洗い場や周囲の壁面等の清掃と、巻き取り可能に形成されたキャタピラ形の風呂蓋の清掃とを、効率よく清潔に清掃できるようにした清掃用ブラシに関するものである。
【背景技術】
【０００２】
この種の風呂場清掃用のブラシとしては、握り柄の先端にたわし状やスポンジ状または植毛ブラシ状の清掃部を取り付けた形態のものと、握り柄のない形態のたわし状や植毛ブラシ状としたもの等種々のものが市場に出回っている。
【０００３】
他方、風呂場の、主として、巻き取り可能に形成されたキャタピラ形風呂蓋を清掃するのに適した構造とした風呂蓋の清掃用ブラシについても、特許文献１に見られるように、既に提案されている。
【特許文献１】特開２００３−３３２８７号公報
【考案の開示】
【考案が解決しようとする課題】
【０００４】
この特許文献１に記載の風呂蓋清掃用のブラシは、ブラシ台に植毛したブラシ毛の長さに長短をつけて、その先端部分を風呂蓋の凹凸に合わせて、長く突出させた部分と短くした部分とを有する形状とし、風呂蓋の凹溝部の間隔に合わせて長く突出させた部分の毛先が風呂蓋の凹溝部分に当たって清潔に清掃することができるようにしたものである。
【０００５】
しかしながら、このような構造とした風呂蓋清掃用のブラシは、表面が凹凸状に形成されている巻き取り可能としてある風呂蓋の清掃には適しているが、風呂蓋の清掃のみではなく、同時に、またはそれ以上に、常時清掃を必要とする浴槽内や浴槽周りの清掃、洗い場やその周囲の壁面等の清掃には、毛先の長さが長短に形成されているため不向きで充分な清掃を行いにくいという課題を有している。
【０００６】
本考案は、このような先行技術としての風呂蓋清掃用ブラシが有している利点を全くそのまま備えているものでありながら、即ち、表面に凹凸を有する風呂蓋の凹溝部分の清掃が容易にできるブラシでありながら、同時に、常時清掃を必要とする浴槽内や浴槽周りの清掃や、洗い場やその周囲の壁面等の清掃をも、一つのブラシで不都合なく行うことができるようにした風呂場用の清掃用ブラシをここに提案しようとするものである。
【課題を解決するための手段】
【０００７】
この目的を達成するために講じた本考案にいうところの風呂場用洗浄ブラシの構成は、植毛台２の下面にブラシ毛３が植設されている耐水性ブラシであって、その植毛台２が、所定の間隔ｄを隔てて配置された複数の植毛部２２，２２を備えた第１植毛台２１と、該植毛部２２，２２の間に配置された複数の植毛部２６，２６を備えた第２植毛台２５とからなり、これらの第１，第２植毛台２１，２５の何れか一方の植毛台が他方の植毛台に対して垂直方向に移動可能な可動台に形成され、該可動台の垂直方向への移動操作によって、これら両植毛部２２，２６に植設されたブラシ毛３１，３２の先端部分ａ，ｂが、ほぼ同一面となる第１姿勢と、何れか一方のブラシ毛３１，３２の先端部分ａ，ｂが、他方のブラシ毛３２，３１の先端部分ｂ，ａに比して所定の長さ下方に突出する第２姿勢とに変更可能に形成されている構成としたものである。
【考案の効果】
【０００８】
本考案にいう風呂場用洗浄ブラシは、このように、植毛台の構造を第１植毛台と第２植毛台とに区分し、これら第１，第２植毛台の一つを固定台とし他を可動台とし、可動台の垂直方向への移動操作によって、ブラシ毛の先端部分の全体が通常一般の洗浄ブラシのようにほぼ同一面に揃っている状態として使用できるブラシでありながら、この状態から、可動台を降下または上昇させることにより、ブラシ毛の先端部分に長短を生じさせ、下側に突出したブラシ部分が、風呂蓋の凹溝部分に入り込んで凹溝内を清掃し、同時に、その他のブラシ部分が風呂蓋の凸部分を清掃できるようにしてあるので、ブラシ面の全体を揃えた状態として、浴槽内や浴槽周りのほぼ平坦な面を効率よく清掃できるブラシでありながら、ブラシ面を凹凸状態として、表面が凹凸のあるキャタピラ形に形成された風呂蓋の清掃も単一の同じブラシで効率よく清掃できるという効果を有する。
【考案を実施するための最良の形態】
【０００９】
このような構成とした本考案にいうところの風呂場用洗浄ブラシの実施に当たっては、例えば、第１植毛台２１を固定台とし、第２植毛台２５を可動台とした場合、ブラシ毛の全体がほぼ揃った状態から、可動台２５を降下させることによって、可動台２５に植設したブラシ毛の先端部分が、例えば符号３２のブラシ毛の先端部分ｂが、固定台２１に植設したブラシ毛３１の先端部分ａよりも下方に突出して、風呂蓋の凹溝部分の清掃に適した状態となるようにすることと、これとは逆に、ブラシ毛の全体がほぼ揃った状態から、可動台２５を上昇させることによって、可動台２５に植設したブラシ毛３２の先端部分ｂが、固定台２１に植設したブラシ毛３１の先端部分ａよりも上昇して、固定台２１に植設したブラシ毛３１の先端部分ａが下方に突出した形となって、風呂蓋の凹溝部分の清掃に適した状態となるようにすることと、の２通りの構造として実施できるのである。
【００１０】
言うまでもなく、ここにいう前者の、可動台を降下させることによって、可動台に植設したブラシ毛を下方に突出させる構造とした場合には、この可動台に植設したブラシ毛の側面視幅を固定台に植設したブラシ毛の幅よりも小幅にして、キャタピラ形風呂蓋における凹溝部分に毛先が入り込み易い幅としておき、他方、後者の、可動台を上昇させることによって、固定台に植設したブラシ毛の先端部分が残されて下方に突出している状態となるようにした場合には、該固定台に植設したブラシ毛の幅を小幅に形成して、キャタピラ形風呂蓋の凹溝部分に毛先が入り込み易い幅として実施するのが好ましい。
【００１１】
また、本考案を実施するに当たって、ブラシ毛の先端部分に長短を生じさせる手段としては、全体の植毛の長さをほぼ均一長さのものとし、固定台２１と可動台２５との植毛面の位置を上下にずらせてあるものとして実施したり、植毛面の位置を同じ高さに形成しておいて、固定台２１と可動台２５とに植毛するブラシ毛を長短異なる長さのものとして実施したり、更には、これらの両方を適宜に組み合わせたものとして実施することができるものである。
【実施例】
【００１２】
以下本考案の実施例について図面に基づいて説明する。図１〜図１５は、第１実施例の洗浄ブラシを示した図である。これらの内、図１〜図５はその第１姿勢を示す図であって、図１はその外観斜視図、図２は同左側面図、図３は同正面図、図４は同平面図、図５は同底面図である。また、図６〜図１０は第２姿勢を示す図であって、図６はその外観斜視図、図７は同左側面図、図８は同正面図、図９は同平面図、図１０は同底面図である。
【００１３】
更に、図１１〜図１８は、各部品と組み立て構造を説明する図であって、図１１は第１植毛台の底面図、図１２は図１１の中央縦断側面図、図１３は第２植毛台の側面図、図１４は同底面図、図１５は図１４の中央縦断側面図、図１６は各部品を分解して示した中央縦断側面図、図１７は組み立て状態の第１姿勢を示す中央縦断側面図、図１８は組み立て状態の第２姿勢を示す中央縦断側面図である。
【００１４】
該第１実施例に示した洗浄ブラシは、図１，２に見られるように、操作ハンドル１０を上方に引き上げた状態としてあるとき、ブラシ毛３の下端の全体がほぼ同一面に揃った状態となり、図６，７に見られるように、操作ハンドル１０を下方に降下させた状態としてあるとき、ブラシ毛３の一部の下端が下方に突出している状態となる構造としたものである。
【００１５】
而して、該第１実施例に示した洗浄ブラシは、植毛台２を図１１，１２に示した第１植毛台２１と、図１３〜１５に示した第２植毛台２５との二つの植毛台からなるものとしてあり、第１植毛台２１を固定台とし、第２植毛台２５を垂直方向に移動可能とした可動台としてある。
【００１６】
前者の第１植毛台２１は、長手方向即ち図１１，１２の左右方向の両端近く部分と中央よりの２カ所との４カ所に、均等間隔でほぼ幅一杯の貫通穴２３…を形成し、この貫通穴２３…の間隔を図７に示したように、巻き取り自在のキャタピラ形に形成してある風呂蓋Ｃの凹溝部分ｇの間隔とほぼ一致する間隔ｄに形成してある。これら各貫通穴２３，２３の間の部分２２ａの下面は、固定台用ブラシ毛３１を植毛する植毛部２２としてある。また、長手方向両側面には、前記図１、図３に示したハウジング４０の側壁に形成されている第１植毛台固定用のロック穴４３と係合させるための係合突起２４，２４を形成してある。
【００１７】
後者の垂直方向に移動可能な可動台とした第２植毛台２５は、図１３〜１５に示したように、長手方向の両端近く部分と中央よりの２カ所との４カ所を均等間隔で、前記第１植毛台２１における貫通穴２３…と対応させて下方に向けて突出する突出部２６ａ…を形成してある。これら各突出部２６ａ…の下面は、可動台用ブラシ毛３２を植毛する植毛部２６としてある。また、図１４及び１５に示したように、長手方向と幅方向の中央部には、平面視分銅形に貫通させたハンドル桿連結穴２７を形成してある。この穴２７は、前記図１，２に示したハウジング４０の上壁４１の中央部に貫通形成してある貫通孔４２を貫通して上下に延びるハンドル桿１１の下端部に形成してある嵌合用溝１１ａと嵌合させるための穴である。また、ここにいう各植毛部２６に植設してある可動台用ブラシ毛３２は、前記図６，７並びに後記図１７，１８に示したように、その長さを前記固定台用ブラシ毛３１の長さよりも長いものとしてある。
【００１８】
以上に記載した該第１実施例の洗浄ブラシは、図１６において各構成部品を分解して上下に配置して示したように、前記第２植毛台２５の中央部に形成してある平面視分銅形としたハンドル桿連結穴２７の小径部に、短尺棒形とした前記ハンドル桿１１の下端部に形成してある嵌合用溝１１ａと嵌合させた状態として、第２植毛台２５とともに前記ハウジング４０の内部から同軸部を、ハウジング４０の上壁４１の中央部に形成してある貫通孔４２を貫通してハウジング４０の外部に突出させ、その上端に操作ハンドル１０を装着し、固定用ネジ１２で固定し、その上面をキャップ１３で覆い、他方、前記第１植毛台２１を第２植毛台２５の下方からハウジング４０内に挿入して、前記係合突起２４，２４をハウジング４０のロック穴４３，４３と係合させて固定したものである。
【００１９】
このようにして組み立てた該実施例の洗浄ブラシは、図１７に示したように、操作ハンドル１０を引き上げて係止させておくと、図１，２，３及び同図１７に見られるように、ブラシ毛３１と３２の下端部ａ，ｂの全体が略均一の長さを維持することとなり、図１８に示したように、操作ハンドル１０を引き下げた状態として係止しておくと、図６，７及び同図１８に見られるように、ブラシ毛３１の下端部ａに対してブラシ毛３２の下端部ｂだけが下方に突出している状態となるようにしたものである。
【００２０】
次に、図１９及び図２０に示した第２実施例について説明する。該第２実施例に示した洗浄ブラシは、前記第１実施例に示した洗浄ブラシと対比したとき、植毛したブラシ毛の長さを全て同じ長さに形成した場合の構造について示したものである。
【００２１】
該第２実施例の基本構造は、図１９に示したように、前記第１実施例において可動台として示した第２植毛台２５を上昇移動させてある状態のとき、該第２植毛台２５の植毛部２６が、固定台としての第１植毛台２１の植毛部２２と同じ高さ位置に位置し、図２０に示したように、該第２植毛台２５を下降移動させたとき、その植毛部２６が第１植毛台２１の植毛部２２よりも降下し、同ブラシ毛３２が下方に突出する構造としたものである。本考案にいう洗浄ブラシは、このようにして実施することができるものである。
【００２２】
続いて、図２１及び図２２に示した第３実施例について説明する。この第３実施例に示した洗浄ブラシは、前記第２実施例に示した洗浄ブラシの場合と同様に、植毛ブラシ毛の長さを全て同じ長さに形成した場合の別実施例構造について示したものである。そして、前記第２実施例に示した洗浄ブラシと対比したとき、下方に突出するブラシ毛を固定台に植設した場合の構造について示したものである。
【００２３】
即ち、該第３実施例に示した洗浄ブラシは、図２１に示したように、可動台としてある第２植毛台２５を下降移動させてある状態のときに、該第２植毛台２５の植毛部２６と、固定台としてある第１植毛台２１の植毛部２２とが同じ高さ位置に位置し、図２２に示したように、該第２植毛台２５を上昇移動させたときに、その植毛部２６が第１植毛台２１の植毛部２２よりも上昇して、第１植毛台２１に植毛してある植毛部２２のブラシ毛３１が固定状態のまま残されて下方に突出する構造としたものである。本考案にいう洗浄ブラシは、このようにして実施することができるものである。
【００２４】
複雑さを避けるため図面は省略するが、更に、他の実施例として、ブラシ毛の長さを、前記第１実施例の場合と同様に長短長さの異なるものとし、長さの長いブラシ毛を固定台に植毛しておき、可動台の降下操作時にブラシ毛全体の毛先が揃い、可動台の上昇操作時に固定台のブラシ毛が残されて下方に突出している構造としても実施することができる。このことは、以上に説明した第１〜第３実施例から容易に理解できることと思われる。本考案の洗浄ブラシは、これらのようにしても実施することができるのである。
【００２５】
図２３及び図２４は第４実施例を示した図である。前記第１実施例では、可動台として示した第２植毛台２５を昇降させる手段として、可動台に下端部を連結させたハンドル桿１１を外部の操作ハンドル１０によって昇降させるとともにロックするようにした構造について説明したが、該可動台の昇降は、該第１実施例に示した構造のみに限定されるものではない。
【００２６】
例えば、第４実施例として図２３に示したように、樹脂製のスプリング板材Ｓをハウジング４０内に内装させ、このスプリング板材Ｓによって可動台２５を常時下向きに押し付けてある形態とし、可動台２５と固定台２１とに植毛してあるブラシ毛３１，３２の先端部ａ，ｂが、常時ほぼ平坦に揃っている状態とし、浴槽等の平坦面の清掃を広い面積で行い易くしておき、凹溝部分を含む風呂蓋の清掃を行うときには、図２４に示したように、ハウジング４０の上部に形成してある握り柄４４と、下端を可動台２５に連結してある、該実施例では可動台２５から一体的に突出形成してある連結軸１１ａの上端に固定用ネジ１２でネジ連結した引き上げレバー４５とを同時に握ることによって、可動台２５のブラシ毛３１を引き上げ、残された固定台２１のブラシ毛３２で、風呂蓋の凹溝部分を清掃する構造としたものである。なお、符号１２ｈは握り柄４４に形成したネジ通し用穴である。
【００２７】
このように、本考案にいうところの清掃ブラシは、浴槽やその周りの平坦面の清掃と、巻き込み自在に形成されている風呂蓋の凹溝部分の清掃とに切り替えて使用できるようにしたものであるから、凹溝部分の清掃のためにブラシ毛の一部を他のブラシ毛よりも下方に突出させておく手段としては、種々の構造のものが考えられ、特定の構造のもののみに限定されるものではない。
【００２８】
以上本考案の代表的と思われる実施例について説明したが、本考案は必ずしもこの実施例として示した構造のもののみに限定されるものではない。本考案にいう前記の構成要件を充足し、上記の目的を達成し、上記の効果を有する範囲内において適宜改変して実施することができるものである。
【産業上の利用可能性】
【００２９】
本考案にいう風呂場用洗浄ブラシは、浴槽やその周りの平坦な面の清掃と、巻き込み自在に形成してある風呂蓋の凹溝部分の清掃とに適した形態に切り替えて使用できるようにしてあるので、発売後は市場において大いに歓迎されるものと思われる。
【図面の簡単な説明】
【００３０】
【図１】第１実施例の洗浄ブラシの第１姿勢を示した外観斜視図。
【図２】同左側面図。
【図３】同正面図。
【図４】同平面図。
【図５】同底面図。
【図６】同洗浄ブラシの第２姿勢を示した外観斜視図。
【図７】同左側面図。
【図８】同正面図。
【図９】同平面図。
【図１０】同底面図。
【図１１】第１植毛台の底面図。
【図１２】図１１の中央縦断側面図。
【図１３】第２植毛台の側面図。
【図１４】同底面図。
【図１５】図１４の中央縦断側面図。
【図１６】各部品を分解して示した中央縦断側面図。
【図１７】組み立て状態の第１姿勢を示す中央縦断側面図。
【図１８】組み立て状態の第２姿勢を示す中央縦断側面図。
【図１９】第２実施例の洗浄ブラシの第１姿勢を示した中央縦断側面図。
【図２０】同ブラシの第２姿勢を示した中央縦断側面図。
【図２１】第３実施例の洗浄ブラシの第１姿勢を示した中央縦断側面図。
【図２２】同ブラシの第２姿勢を示した中央縦断側面図。
【図２３】第４実施例の洗浄ブラシの第１姿勢を示した中央縦断側面図。
【図２４】同ブラシの第２姿勢を示した中央縦断側面図。
【符号の説明】
【００３１】
２  植毛台
２１  第１植毛台
２２  第１植毛台の植毛部
２５  第２植毛台
２６  第２植毛台の植毛部
３  ブラシ毛
３１  第１植毛台に植設されたブラシ毛
３２  第２植毛台に植設されたブラシ毛
ａ  第１植毛台のブラシ毛の先端部分
ｂ  第２植毛台のブラシ毛の先端部分
ｄ  間隔
【図１】
0003136236.tif 000003
【図２】
0003136236.tif 000004
【図３】
0003136236.tif 000005
【図４】
0003136236.tif 000006
【図５】
0003136236.tif 000007
【図６】
0003136236.tif 000008
【図７】
0003136236.tif 000009
【図８】
0003136236.tif 000010
【図９】
0003136236.tif 000011
【図１０】
0003136236.tif 000012
【図１１】
0003136236.tif 000013
【図１２】
0003136236.tif 000014
【図１３】
0003136236.tif 000015
【図１４】
0003136236.tif 000016
【図１５】
0003136236.tif 000017
【図１６】
0003136236.tif 000018
【図１７】
0003136236.tif 000019
【図１８】
0003136236.tif 000020
【図１９】
0003136236.tif 000021
【図２０】
0003136236.tif 000022
【図２１】
0003136236.tif 000023
【図２２】
0003136236.tif 000024
【図２３】
0003136236.tif 000025
【図２４】
0003136236.tif 000026